(57)【特許請求の範囲】
【請求項１】
端子金具と、この端子金具が挿入されるキャビティを設けたコネクタハウジングとを備え、
前記端子金具は本体部の一面から逆挿入防止用のスタビライザが立ち上がり形成されている一方、
前記コネクタハウジングの前記キャビティは、前記端子金具の前記本体部がほぼ緊密に嵌合される端子挿入孔の手前側に拡径された入口部が連設され、かつ前記端子挿入孔の一面には前記スタビライザの挿通を許容する挿通路が設けられており、
前記端子金具が正規姿勢で挿入された場合には、前記スタビライザが前記挿通路に挿通されつつ正規位置まで挿入可能で、前記端子金具が正規姿勢から上下逆転した姿勢で挿入された場合には、前記スタビライザが前記端子挿入孔における前記挿通路が設けられた側とは反対側の孔縁部に当接することで前記端子金具がそれ以上挿入されることが規制されるようにしたコネクタにおいて、
前記端子挿入孔の前記孔縁部には、逆挿入された前記端子金具の前記スタビライザと係合して前記孔縁部との掛かり代を増大させるべく前記スタビライザの立ち上がり姿勢を変位させる姿勢変位部が設けられていることを特徴とするコネクタ。
【請求項２】
前記端子金具の前記スタビライザが斜め姿勢で立ち上がり形成されている一方、前記姿勢変位部には、前記スタビライザと当接して同スタビライザを垂直姿勢に向けて変位させるテーパ面が形成されていることを特徴とする請求項１記載のコネクタ。
【請求項３】
前記スタビライザは、左右一対がそれぞれの立ち上がり端を次第に接近させた斜め姿勢で形成されているとともに、前記姿勢変位部は、左右一対が前記端子挿入孔の前記孔縁部から手前側に向けて突設され、前記各姿勢変位部の突出端の外側角部に前記テーパ面が形成されていることを特徴とする請求項２記載のコネクタ。
【請求項４】
電線の端末には前記端子金具とその後方にゴム栓が装着されているとともに、前記コネクタハウジングにおける前記キャビティの前記入口部には、前記端子金具が前記キャビティ内に正規に挿入された場合に前記ゴム栓が緊密に嵌着可能となっていることを特徴とする請求項１ないし請求項３のいずれか一項に記載のコネクタ。
【発明の詳細な説明】
【技術分野】
【０００１】
本発明は、端子金具の逆挿入防止機能を備えたコネクタに関する。
【背景技術】
【０００２】
端子金具の逆挿入防止機能を備えた個室防水型のコネクタの一例として、以下のようなものが知られている。このものは、電線の端末に端子金具とゴム栓とが装着され、端子金具には本体部の例えば底面の両側縁から左右一対のスタビライザが立ち上がり形成されている一方、コネクタハウジングには、端子金具の本体部がほぼ緊密に嵌合される端子挿入孔の手前側に、ゴム栓が緊密に嵌着される拡径されたシール孔が連設されたキャビティが形成され、かつ端子挿入孔の底壁にはスタビライザの挿通を許容する一対の挿通路が設けられた構造である。  
そして、端子金具がキャビティに対して正規姿勢で挿入された場合には、スタビライザが挿通路に挿通されつつ正規位置まで挿入され、併せてゴム栓がシール孔に緊密に嵌着されてシールされ、一方、端子金具が正規姿勢から上下逆転した姿勢で挿入された場合には、スタビライザが端子挿入孔における挿通路が設けられた側とは反対側である上側の孔縁部に当接することで、端子金具がそれ以上挿入されることが規制されるようになっている。
【０００３】
ところで、このようなコネクタにおいても漸次小型化が要求されるところであり、そのための一対策として、ゴム栓並びに同ゴム栓が嵌着されるシール孔を小径とすることが提案されている。この場合、端子金具をキャビティに挿入する際に、スタビライザの立ち上がり端がシール孔の内周面と干渉して傷を付けないようにする必要があり、そこで従来では、左右一対のスタビライザを、各立ち上がり端が次第に接近するように内側に閉じた斜め姿勢に形成し、シール孔の内周面と干渉することを回避し得るような手段が講じられている（例えば、特許文献１参照）。
【先行技術文献】
【特許文献】
【０００４】
【特許文献１】特開２００５−１８３３４２号公報
【発明の概要】
【発明が解決しようとする課題】
【０００５】
しかしながら上記のようにスタビライザを斜め姿勢で形成したものでは、端子金具が逆挿入されてスタビライザが端子収容孔の孔縁部に当たったときに、倒れ方向に変形しやすく、孔縁部に対する掛かり代が確保できなくて引き続いて端子収容孔内に入ってしまう可能性があり、すなわち逆挿入防止機能が果たせない場合があった。  
本発明は上記のような事情に基づいて完成されたものであって、その目的は、端子金具の誤挿入防止機能をより確実に発揮させるところにある。
【課題を解決するための手段】
【０００６】
本発明は、端子金具と、この端子金具が挿入されるキャビティを設けたコネクタハウジングとを備え、前記端子金具は本体部の一面から逆挿入防止用のスタビライザが立ち上がり形成されている一方、前記コネクタハウジングの前記キャビティは、前記端子金具の前記本体部がほぼ緊密に嵌合される端子挿入孔の手前側に拡径された入口部が連設され、かつ前記端子挿入孔の一面には前記スタビライザの挿通を許容する挿通路が設けられており、前記端子金具が正規姿勢で挿入された場合には、前記スタビライザが前記挿通路に挿通されつつ正規位置まで挿入可能で、前記端子金具が正規姿勢から上下逆転した姿勢で挿入された場合には、前記スタビライザが前記端子挿入孔における前記挿通路が設けられた側とは反対側の孔縁部に当接することで前記端子金具がそれ以上挿入されることが規制されるようにしたコネクタにおいて、前記端子挿入孔の前記孔縁部には、逆挿入された前記端子金具の前記スタビライザと係合して前記孔縁部との掛かり代を増大させるべく前記スタビライザの立ち上がり姿勢を変位させる姿勢変位部が設けられているところに特徴を有する。
【０００７】
端子金具が上下逆転した姿勢で挿入されると、挿入の途中でスタビライザが姿勢変位部と係合して、孔縁部との掛かり代を増大させる向きに立ち上がり姿勢が変位させられ、係る状態で孔縁部に当接する。端子金具が誤挿入された場合に、スタビライザが端子挿入孔内に入り込むことがより確実に規制され、ひいては誤挿入防止機能をより確実に発揮することができる。
【０００８】
また、以下のような構成としてもよい。  
（１）前記端子金具の前記スタビライザが斜め姿勢で立ち上がり形成されている一方、前記姿勢変位部には、前記スタビライザと当接して同スタビライザを垂直姿勢に向けて変位させるテーパ面が形成されている。  
スタビライザが斜め姿勢で形成されていることにより、例えばキャビティの入口部の内周面と干渉することが抑制される。端子金具が誤挿入された場合は、挿入の途中でスタビライザが姿勢変位部のテーパ面で案内されて垂直姿勢に変位し、すなわち大きな掛かり代を持って端子収容孔の孔縁部に当接する。端子金具が正規姿勢で挿入されたときはスタビライザによる傷付きを抑制した上で、逆挿入防止機能はより確実に発揮される。
【０００９】
（２）前記スタビライザは、左右一対がそれぞれの立ち上がり端を次第に接近させた斜め姿勢で形成されているとともに、前記姿勢変位部は、左右一対が前記端子挿入孔の前記孔縁部から手前側に向けて突設され、前記各姿勢変位部の突出端の外側角部に前記テーパ面が形成されている。  
端子金具が誤挿入されると、挿入の途中で両スタビライザが対応する姿勢変位部のテーパ面に当たり、テーパ面で案内されて垂直姿勢に向けて開くように変位し、垂直姿勢を取ったままで端子収容孔の孔縁部に突き当たる。各スタビライザが垂直姿勢に変わったことで孔縁部に対する掛かり代が大きく取られ、また、スタビライザの内側には姿勢変位部が位置していて、スタビライザが内方に傾くことが阻止されるから、端子金具の押し込み規制はより確実に行われる。
【００１０】
（３）電線の端末には前記端子金具とその後方にゴム栓が装着されているとともに、前記コネクタハウジングにおける前記キャビティの前記入口部には、前記端子金具が前記キャビティ内に正規に挿入された場合に前記ゴム栓が緊密に嵌着可能となっている。  
個室防水型のコネクタにおいて、端子金具が正規挿入された場合にスタビライザがシール孔の内周面に傷付けることを抑制し、すなわちシール性能を担保した上で、端子金具の逆挿入防止機能をより確実に発揮することができる。
【発明の効果】
【００１１】
本発明のコネクタによれば、端子金具の誤挿入をより確実に防止することが可能となる。
【図面の簡単な説明】
【００１２】
【図１】本発明の一実施形態に係る雌端子の斜視図
【図２】同平面図
【図３】同底面図
【図４】同側面図
【図５】同拡大正面図
【図６】同拡大背面図
【図７】図４のVII−VII線拡大断面図
【図８】雌ハウジングの斜視図
【図９】同平面図
【図１０】同正面図
【図１１】同背面図
【図１２】図１１のXII−XII線断面図
【図１３】同斜視断面図
【図１４】雌端子が正規挿入された場合の縦断面図
【図１５】雌端子が逆挿入された場合の縦断面図
【図１６】キャビティの形成部分の拡大背面図
【発明を実施するための形態】
【００１３】
＜実施形態＞
本発明の一実施形態を図１ないし図１６に基づいて説明する。この実施形態では、個室防水型のコネクタに適用した場合を例示している。  
本実施形態のコネクタは、図１４に示すように、電線１０の端末に固着された図示２個の雌端子２０と、これらの雌端子２０を収容するコネクタハウジング４０（以下、雌ハウジング４０）とから構成されている。
【００１４】
雌端子２０について、図１ないし図７によって説明する。雌端子２０は、導電性に優れた金属板をプレス加工することによって形成され、図１に示すように、相手の雄端子（図示せず）のタブが挿入接続される本体部２１の後方に、電線１０の端末に圧着されるワイヤバレル２２とインシュレーションバレル２３とが設けられている。
【００１５】
本体部２１は、前後方向に長い横長断面をなす角筒状に形成されており、同本体部２１の四角には丸みが付けられている。本体部２１内には、底板２５の前縁から延出形成された舌片が山形に折り返された弾性接触片２６が設けられているとともに、天井板２７の内面には、前後方向に長い２本の突条２８が幅方向に間隔を開けて叩き出し形成されている。  
本体部２１の前面開口から相手の雄端子のタブが挿入されると、同タブが弾性接触片２６と突条２８との間で弾性的に挟持され、雌端子２０と雄端子との間で電気的な接続が取られるようになっている。
【００１６】
本体部２１の底板２５には、雌ハウジング４０のキャビティ５０内に設けられたランス５７に弾性的に係止するランス孔２９が開口されているとともに、当該雌端子２０が誤って上下逆転された姿勢でキャビティ５０内に挿入されることを防止する逆挿入防止用のスタビライザ３０が設けられている。スタビライザ３０については後述する。
【００１７】
上記のような雌端子２０が、図１４に示すように、ゴム栓１５ともども電線１０の端末に取り付けられるようになっている。ゴム栓１５は、前後方向にやや長く、かつ雌端子２０の本体部２１の外接円Ｘ（図７参照）よりもやや大きい直径を有する栓本体１６の前面に取付部１７が延出形成され、電線１０を緊密に挿通可能な中心孔が形成された形状である。  
そして、電線１０における皮剥きされて露出した芯線１１の端末がワイヤバレル２２にかしめ圧着されるとともに、被覆１２の端末がゴム栓１５の取付部１７とともにインシュレーションバレル２３にかしめ圧着されることで、上記のように電線１０の端末に雌端子２０とゴム栓１５とが取り付けられている。
【００１８】
スタビライザ３０について説明する。図３に示すように、雌端子２０の本体部２１の底面にはランス孔２９が開口されている。ランス孔２９はより詳細には、本体部２１の底面における長さ方向の中央部から少し後方に寄った位置において、本体部２１の左右の側板２４の内面間の間隔に匹敵する幅を持ったやや横長の方形状に形成されている。
【００１９】
スタビライザ３０は左右一対が設けられており、上記したランス孔２９の左右の側縁から下方に向けて切り起こし形成されている。スタビライザ３０は厳密には、図７に示すように、本体部２１の底面における左右両側縁から幅方向の中心に向けて所定寸法（屈曲代も含めて側板２４の板厚の２倍程度）入った位置から立ち上がり形成されている。
【００２０】
スタビライザ３０はまた、ランス孔２９の前後方向の長さよりも少し短い横幅寸法と、同横幅の１／４程度といった短い立ち上がり寸法を有しており、立ち上がり端の前後の角部には丸みが付けられている。  
このようなスタビライザ３０における立ち上がり端面３１と前後の端面３２Ｆ，３２Ｒに亘る外側の角部には、スタビライザ３０の板厚の略半分の領域においてＣ面３５Ａ，３５Ｂが形成されている。ここでＣ面３５Ａ，３５Ｂとは、直線状の面取り部である。
【００２１】
スタビライザ３０はさらに、図７に示すように、それぞれの立ち上がり端が次第に接近するような斜め姿勢を取って形成されており、これにより両スタビライザ３０の立ち上がり端が、上記した本体部２１の外接円Ｘ内に収まる形態で設けられている。  
スタビライザ３０の立ち上がり端面３１と前後の端面３２Ｆ，３２Ｒに亘る外側の角部に形成されたＣ面３５Ａ，３５Ｂのうち内方の側縁、詳細には立ち上がり端面３１のＣ面３５Ａでは、基端側の側縁３６にＲ面３７Ａが形成されており、また前側の端面３２ＦのＣ面３５Ｂでは後側の側縁、後側の端面３２ＲのＣ面３５Ｂでは前側の側縁に対して、それぞれＲ面３７Ｂが形成されている。ここでＲ面３７Ａ，３７Ｂとは、曲線状の面取り部である。
【００２２】
上記のように、スタビライザ３０の立ち上がり端面３１における外側縁の角部にＣ面３５Ａが形成され、かつそのＣ面３５Ａにおける同スタビライザ３０の基端側の側縁３６にＲ面３７Ａが形成されていることの意義は、以下のとおりである。  
図７に示すように、スタビライザ３０の立ち上がり端面３１における外側縁の角部にＣ面３５Ａが形成されていることにより、スタビライザ３０の掛かり代を確保するべく相応の立ち上がり長さを備えた場合にも、同角部が外接円Ｘと干渉することが避けられる。
【００２３】
ここで、Ｃ面３５Ａの両側縁にはなおエッジが存在することになるが、スタビライザ３０が内向きに閉じた斜め姿勢で形成されていることにより、Ｃ面３５Ａの両側縁のうち先端側の側縁３８は、本体部２１の外接円Ｘの内側に逃げる一方、基端側の側縁３６が外接円Ｘ上に位置することになる。この基端側の側縁３６については打圧加工が可能であることから、Ｃ面３５Ａにおける基端側の側縁３６にはさらにＲ面３７Ａが形成されることによって、エッジが外接円Ｘと干渉することを回避している。
【００２４】
また、上記のように、左右一対のスタビライザ３０はランス孔２９の左右両側縁から切り起こし形成されているが、スタビライザ３０、ランス孔２９の側縁並びに本体部２１の側板２４に亘って、補強ビード３９が裏側に打ち出されて形成されている。
【００２５】
次に、雌ハウジング４０について説明する。雌ハウジング４０は合成樹脂製であって、図８及び図１４に示すように、雌端子２０が収容される端子収容部４１の回りに前面に開口した筒部４５が設けられた形状である。なお、端子収容部４１の前端部４２は別ピースとして形成され、ロック機構４４を介して後端部４３と一体的に組み付けられている。  
この雌ハウジング４０が、雄端子を装着した図示しない相手の雄ハウジングと嵌合されると、同雌ハウジング４０の端子収容部４１と筒部４５との間に、雄ハウジングのフード部が挿入され、端子収容部４１の基端側に嵌着されたシールリング４７を介して雌ハウジング４０と雄ハウジング間のシールが取られるとともに、筒部４５に設けられたロックアーム４８が雄ハウジング側のロック部に弾性的に係止することによって、雌ハウジング４０と雄ハウジングとが嵌合状態にロックされるようになっている。
【００２６】
雌ハウジング４０の端子収容部４１内には、上記した雌端子２０が後方から挿入されて収容されるキャビティ５０が、２本横方向に並んで形成されている。キャビティ５０は、前端側の半分強の領域に、雌端子２０の本体部２１がほぼ緊密に嵌合して挿入される横長の方形断面をなす端子収容孔５１が形成されているとともに、後端側には、雌端子２０の後方に装着されたゴム栓１５が緊密に嵌合される円形断面のシール孔５２が連通して形成されている。このシール孔５２は、上記した雌端子２０の本体部２１の外接円Ｘと同じ径に形成されている。端子収容孔５１の後端とシール孔５２の前端との間は、先細りとなったテーパ孔５３で繋がれている。
【００２７】
端子収容孔５１の前壁には、相手の雄ハウジングに装着された雄端子のタブが挿入される端子挿入口５５が開口されている。また、端子収容孔５１の底壁には、ランス５７が前方を向いた片持ち状に形成されている。後記するように、端子収容孔５１内に、正規姿勢を取った雌端子２０の本体部２１がランス５７を弾性撓みさせつつ挿入され、前壁に当たる正規位置まで挿入されると、雌端子２０の本体部２１の底面に設けられたランス孔２９がランス５７の突部５８の位置に到り、ランス５７が復動変位しつつ突部５８がランス孔２９に嵌ることで、本体部２１すなわち雌端子２０が抜け止めされて収容されるようになっている。  
雌端子２０が正規位置まで挿入された場合は、大まかには、図１４に示すように、雌端子２０における本体部２１からワイヤバレル２２までが端子収容孔５１内に、同雌端子２０のインシュレーションバレル２３及びゴム栓１５の取付部１７がテーパ孔５３からシール孔５２の前端側内に、またゴム栓１５の栓本体１６の前側部分がシール孔５２の後端側内に、それぞれ収容されるようになっている。
【００２８】
キャビティ５０におけるテーパ孔５３から端子収容孔５１にわたる底壁には、ランス５７の左右両側の位置において、雌端子２０の本体部２１の底面に突設された左右一対のスタビライザ３０を個別に挿通可能とした前後方向を向いた挿通路６０が、互いに平行に形成されている。各挿通路６０は、ランス５７の先端位置付近で行き止まり状となっている。  
一方、テーパ孔５３の天井壁を含む端子収容孔５１の上側の孔縁部分には、雌端子２０が正規姿勢から上下逆転した姿勢で挿入された場合に、スタビライザ３０を当てて雌端子２０がそれ以上挿入されることを規制する規制部６３が形成されている。
【００２９】
規制部６３の詳細を、図１２及び図１３によって説明する。端子収容孔５１のテーパ孔５３との繋ぎ部分から少し奥側（前方）に入った位置では、同端子収容孔５１の上縁部において、軸線方向と直角をなす規制面６４が形成されている。この規制面６４からは、左右一対の角棒状をなす姿勢変位部６５が、後方（シール孔５２側）を向いて互いに平行姿勢で突出形成されている。  
各姿勢変位部６５の突出した端面の外側の角部には、テーパ面６６が削成されている。各テーパ面６６は、雌端子２０が上下反対姿勢を取った場合における左右一対のスタビライザ３０が当接可能な位置に形成されている。各姿勢変位部６５の外側には、スタビライザ３０を挿通可能なガイド溝６７が、真直に上下方向を向いた姿勢で形成されており、各ガイド溝６７の奥端（前端）が、上記した規制面６４に達している。
【００３０】
本実施形態は上記のような構造であって、続いてその作用を説明する。  
雌端子２０を雌ハウジング４０の対応するキャビティ５０に収容する場合は、図１４に示すように、スタビライザ３０が下面側に来る姿勢として、雌端子２０をキャビティ５０内に後方から挿入する。  
挿入後暫くするとスタビライザ３０もシール孔５２内に挿入され、そのとき本体部２１が上向きにあおられた姿勢を取っている等により、スタビライザ３０の立ち上がり端がシール孔５２の下側の孔縁に引っ掛かる可能性もあるが、スタビライザ３０の前端面３２Ｆの外側角部に形成されたＣ面３５ＢからＲ面３７Ｂで案内されつつ、シール孔５２内にスムーズに挿入される。
【００３１】
そののち、雌端子２０の本体部２１は、スタビライザ３０を含めてシール孔５２の内周面にほぼ内接して押し込まれ、その際、スタビライザ３０については、図７に示すように、立ち上がり端面３１に形成されたＣ面３５Ａの基端側の側縁３６が、シール孔５２の内周面に接触する可能性が高いが、同側縁３６にはＲ面３７Ａが形成されているから、シール孔５２の内周面に傷を付けることが避けられる。
【００３２】
引き続き、ゴム栓１５の後端を押す等によって雌端子２０が押し込まれると、本体部２１の前端がテーパ孔５３で案内されつつ端子収容孔５１に挿入され、途中から図１６の右側に示すように、両スタビライザ３０が対応する挿通路６０に挿通されつつ本体部２１が端子収容孔５１内に押し込まれる。図１４に示すように、本体部２１が端子収容孔５１の前壁に当たる正規位置まで押し込まれると、ランス５７がランス孔２９に弾性的に嵌ることで雌端子２０が端子収容孔５１内に抜け止めされて収容される。併せてゴム栓１５の栓本体１６の前端部分がシール孔５２の後端部内に緊密に嵌着され、キャビティ５０のシールが取られることになる。
【００３３】
一方、図１５に示すように、雌端子２０が上下逆転しすなわちスタビライザ３０が上面側に来た姿勢で挿入された場合は、本体部２１がテーパ孔５３で案内されて端子収容孔５１内に進入したタイミングで、図１６の左側に示すように、両スタビライザ３０の立ち上がり端が対応する姿勢変位部６５のテーパ面６６に当接する。この状態からさらに押し込まれると、同図の鎖線に示すように、スタビライザ３０はテーパ面６６で案内されて垂直姿勢に変位させられ、垂直姿勢を取ったままで姿勢変位部６５の外側のガイド溝６７を通って進んだのち、図１５に示すように規制面６４に突き当たる。
【００３４】
上記によって雌端子２０をそれ以上押し込むことが規制され、雌端子２０が誤った姿勢で挿入されたことが検知される。スタビライザ３０が垂直姿勢に変わったことで規制面６４に対する掛かり代が大きく取られ、また、スタビライザ３０の内側には姿勢変位部６５があってスタビライザ３０が内方に傾くことが阻止されるから、雌端子２０の押し込み規制は確実に行われる。  
上記のように押し込み規制がなされた時点では、ゴム栓１５がシール孔５２内に未だ嵌っていないから、ゴム栓１５を掴む等で電線１０を後方に引っ張ることで雌端子２０は簡単に引き戻すことができ、そうしたら雌端子２０を正規姿勢に正して、改めてキャビティ５０内に挿入すればよい。
【００３５】
本実施形態によれば、以下のような作用効果を得ることができる。本実施形態の雌端子２０では、本体部２１の底面に逆挿入防止用の左右一対のスタビライザ３０を設ける部分の構造が、本体部２１の底面における左右両側縁から幅方向の中心に向けて所定寸法入った位置から、両立ち上がり端が次第に接近するような斜め姿勢を取って形成されることにより、両スタビライザ３０の立ち上がり端が本体部２１の外接円Ｘ内に収まる形態で設けられるとともに、両スタビライザ３０の立ち上がり端面３１における外側縁の角部にＣ面３５Ａが形成され、かつそのＣ面３５Ａにおける同スタビライザ３０の基端側の側縁３６にＲ面３７Ａが形成された構造となっている。  
係る構造により、雌端子２０が正規姿勢でキャビティ５０内に挿入された場合に、スタビライザ３０がキャビティ５０におけるシール孔５２の内周面に傷を付けることを防止できるのであるが、両スタビライザ３０が内方に閉じるような傾斜姿勢を取っていることにより、雌端子２０が誤挿入されて端子収容孔５１の孔縁部に当たった場合に、掛かり代が小さく、また倒れ変形して端子収容孔５１に入ってしまう事態が起きることが僅かながらでも懸念される。
【００３６】
これに対して本実施形態では、雌端子２０が誤挿入された場合にスタビライザ３０が当接するべく端子収容孔５１の上側の孔縁部に、姿勢変位部６５等からなる規制部６３が形成されている。すなわち、雌端子２０が誤挿入された場合は、本体部２１が端子収容孔５１内に進入したところで、両スタビライザ３０の立ち上がり端が対応する姿勢変位部６５のテーパ面６６に当接し、この状態からさらに押し込まれると、スタビライザ３０はテーパ面６６で案内されて垂直姿勢に変位させられ、垂直姿勢を取ったままで姿勢変位部６５の外側のガイド溝６７を通って進んだのち規制面６４に突き当たるように作用する。
【００３７】
すなわち、スタビライザ３０が垂直姿勢に変わったことで規制面６４に対する掛かり代が大きく取られ、またスタビライザ３０の内側には姿勢変位部６５があってスタビライザ３０が内方に傾くことが阻止されることで、雌端子２０の押し込み規制が確実に行われる。  
その結果、個室防水型の雌側のコネクタにおいて、雌端子２０が正規挿入された場合にスタビライザ３０がシール孔５２の内周面に傷付けることを抑制し、すなわちシール性能を担保した上で、雌端子２０の逆挿入防止機能をより確実に発揮することができる。
【００３８】
＜他の実施形態＞
本発明は上記記述及び図面によって説明した実施形態に限定されるものではなく、例えば次のような実施形態も本発明の技術的範囲に含まれる。  
（１）上記実施形態では、斜め姿勢に形成されたスタビライザを垂直姿勢に変位させる場合を例示したが、変位後に端子収容孔の孔縁部に対する掛かり代が増大する限り、スタビライザの変位前後の姿勢は問わない。  
（２）上記実施形態では、スタビライザが雌端子の本体部の底面に左右一対設けられている場合を例示したが、スタビライザの本数や配設位置は上記以外のものであってもよい。
【００３９】
（３）上記実施形態では、雌端子を雌ハウジングに収容する雌側の防水コネクタを例示したが、雄端子を雄ハウジングに収容する雄側の防水コネクタについても、本発明は同様に適用できる。  
（４）さらに本発明は、個室防水型のコネクタに限らず、一括ゴム栓を備えた防水コネクタ、さらには非防水のコネクタ等、要は逆挿入防止用のスタビライザを有する端子金具をコネクタハウジングのキャビティ内に収容する形式のコネクタ全般に広く適用することが可能である。
【符号の説明】
【００４０】
１０…電線
１５…ゴム栓
２０…雌端子（端子金具）
２１…本体部
２５…底板（本体部２１の一面）
３０…スタビライザ
４０…雌ハウジング（コネクタハウジング）
５０…キャビティ
５１…端子収容孔
５２…シール孔（キャビティ５０の入口部）
６０…挿通路
６３…規制部
６４…規制面（孔縁部）
６５…姿勢変位部
６６…テーパ面
【図１】
0005549624.tif 000002
【図２】
0005549624.tif 000003
【図３】
0005549624.tif 000004
【図４】
0005549624.tif 000005
【図５】
0005549624.tif 000006
【図６】
0005549624.tif 000007
【図７】
0005549624.tif 000008
【図８】
0005549624.tif 000009
【図９】
0005549624.tif 000010
【図１０】
0005549624.tif 000011
【図１１】
0005549624.tif 000012
【図１２】
0005549624.tif 000013
【図１３】
0005549624.tif 000014
【図１４】
0005549624.tif 000015
【図１５】
0005549624.tif 000016
【図１６】
0005549624.tif 000017